(57)【要約】【課題】換気のための吸送気手段を機能的に向上させ、実現性を高めた蒸れ防止機能付き健康靴の提供。【解決手段】中底１４、中物１５、及び表底１６からなる底部を有し、空気室１を中心に後方に吸気出口２、これにつながる吸込み口３ａを含む吸気路３、前方に排気側となる通気路４を有し、空気室１からなる吸送気手段Ｋ及び吸送気手段Ｋの動きに追従して動作する弁体５を備えた逆流防止可能な流路開閉手段ＶＳ１を有し、歩行する際の吸送気手段Ｋの押圧、解放の繰り返し動作で吸気路３から外気を吸入し、足指７の付け根８及び足指の隙間を通過して吹き抜け易く空気抵抗の少ない上面開口溝部１０を前記足の裏側に接する中底１４の表面所定部位に設け、足挿入部となる靴開口部１１から排気する構成とすると共に足の土踏まず１２を除いた足裏部１３に加わる適度の押圧力Ｐと解放の繰り返しが体の健康を補助する構成としたことを特徴とする。【選択図】図１
2007330670.tif 000002
【特許請求の範囲】
【請求項１】
中底、中物、及び表底からなる底部を有する靴の製造工程において、加工し易い構造の蒸れ防止機能を有する健康靴であって、空気室を中心に後方に吸気出口、これにつながる吸込み口を含む吸気路、前方に排気側となる通気路を有し、空気室からなる吸送気手段及び該吸送気手段の動きに追従して動作する弁体を備えた逆流防止可能な流路開閉手段を有し、歩行する際の前記吸送気手段の押圧、解放の繰り返し動作で吸気路から外気を吸入し、足指の付け根及び足指の隙間を通過して吹き抜け易く空気抵抗の少ない上面開口溝部を前記足の裏側に接する中底の表面所定部位に設け、足挿入部となる靴開口部から排気する構成とすると共に足の土踏まずを除いた足裏部に加わる適度の押圧力と解放の繰り返しが体の健康を補助する構成としたことを特徴とする蒸れ防止機能付き健康靴。
【請求項２】
足指の付け根近傍から踵側に向かって広範囲の所定部位の前記中物に空気室を構成する足裏の土踏まずを除いた逆三角形を基本とする足型形状の凹部を形成すると共に該凹部に係合する断面円弧状に膨出成形したバネ板で天板部を形成し、該天板部を含めて中物を中底で覆って空気室を形成せしめ、前記流路開閉手段を構成する弁体は、空気室の天板部を形成するバネ板の端部に外気吸入時に収縮し易い強さであって且つ伸長方向に付勢してなるコイルバネを介して連結する円錐類似形状体、もしくは球状体から構成され、足を踏み込んだとき最初に空気室の内圧およびコイルバネの伸びようとする力との協働で前記弁体が作動して前記吸気出口を塞ぎ、吸気出口から吸引される外気を遮断すると共に逆流を防止し、次いで天板部が押し下げられて空気室が圧縮されつつ貯留した空気を靴先の方向に前記通気路を通って中底の上面に開口された複数の上面開口溝と、該上面開口溝に近接する足指の付け根の膨らんだ部分に吹き付けるように空気が流れ、該空気が指の付け根の指と指との間の隙間から上方へ流通するように構成し、空気室を形成する凹部及び空気流路となる凹部を除いて中底、中物、及び表底の各周縁部を接着して成る接着積層構造の底部としたことを特徴とする請求項１記載の蒸れ防止機能付き健康靴。
【請求項３】
足指の付け根近傍から踵側に向かって広範囲の所定部位の前記中物に空気室を構成する平面視足裏の土踏まずを除いた逆三角形を基本とする足型形状の凹部を形成すると共に該凹部に係合する断面円弧状に膨出成形したバネ板で天板部を形成し、該天板部を含めて中物を中底で覆って空気室を形成せしめ、前記流路開閉手段を構成する弁体は、空気室の天板部を形成するバネ板の端部から所定距離離隔して吸気出口に密着して設けた開閉可能なスイング式板状体から構成され、足を踏み込んだとき空気室内圧の押圧力により前記スイング式板状体から成る弁体が作動して前記吸気出口を塞ぎ、吸気出口から吸引される外気を遮断すると共に逆流を防止し、次いで天板部が押し下げられて空気室が圧縮されつつ貯留した空気を靴先の方向に前記通気路を通って中底の上面に開口された複数の上面開口溝と、該上面開口溝に近接する足指の付け根の膨らんだ部分に吹き付けるように空気が流れ、該空気が指の付け根の指と指との間の隙間から上方へ流通するように構成し、空気室を形成する凹部及び空気流路となる凹部を除いて中底、中物、及び表底の各周縁部を接着して成る接着積層構造の底部としたことを特徴とする請求項１記載の蒸れ防止機能付き健康靴。
【発明の詳細な説明】
【技術分野】
【０００１】
本発明は、蒸れ防止機能付き健康靴に関する。
【背景技術】
【０００２】
従来、蒸れを防止する靴の発明は数多く知られる。
【０００３】
先行技術の例として、ほとんど交換する必要がない靴用悪臭防止装置として、中敷き本体と、中敷き本体の一部から空気を吸引し他の部分に排出するように中敷き本体内に設けられたポンプと、ポンプから排出口まで空気を移送するために中敷き本体内に形成された細孔を設けるという発明が開示されている（例えば特許文献１参照。）。
【特許文献１】特開平７−２６５１０７号公報
【発明の開示】
【発明が解決しようとする課題】
【０００４】
しかしながら上述の先行技術の例では、多くの従来例と同様に、換気をするためのポンプ作用が十分に機能されず、実用性の点で問題が解決されていないという課題がある。
【０００５】
本発明は、上述の点に着目して成されたもので、換気のための吸送気手段を機能的に向上させ、実現性を高めた蒸れ防止機能付き健康靴を提供することを目的とする。
【課題を解決するための手段】
【０００６】
本発明は、下記構成を備えることにより上記課題を解決できるものである。
【０００７】
（１）中底、中物、及び表底からなる底部を有する靴の製造工程において、加工し易い構造の蒸れ防止機能を有する健康靴であって、空気室を中心に後方に吸気出口、これにつながる吸込み口を含む吸気路、前方に排気側となる通気路を有し、空気室からなる吸送気手段及び該吸送気手段の動きに追従して動作する弁体を備えた逆流防止可能な流路開閉手段を有し、歩行する際の前記吸送気手段の押圧、解放の繰り返し動作で吸気路から外気を吸入し、足指の付け根及び足指の隙間を通過して吹き抜け易く空気抵抗の少ない上面開口溝部を前記足の裏側に接する中底の表面所定部位に設け、足挿入部となる靴開口部から排気する構成とすると共に足の土踏まずを除いた足裏部に加わる適度の押圧力と解放の繰り返しが体の健康を補助する構成とした蒸れ防止機能付き健康靴。
【０００８】
（２）足指の付け根近傍から踵側に向かって広範囲の所定部位の前記中物に空気室を構成する足裏の土踏まずを除いた逆三角形を基本とする足型形状の凹部を形成すると共に該凹部に係合する断面円弧状に膨出成形したバネ板で天板部を形成し、該天板部を含めて中物を中底で覆って空気室を形成せしめ、前記流路開閉手段を構成する弁体は、空気室の天板部を形成するバネ板の端部に外気吸入時に収縮し易い強さであって且つ伸長方向に付勢してなるコイルバネを介して連結する円錐類似形状体、もしくは球状体から構成され、足を踏み込んだとき最初に空気室の内圧およびコイルバネの伸びようとする力との協働で前記弁体が作動して前記吸気出口を塞ぎ、吸気出口から吸引される外気を遮断すると共に逆流を防止し、次いで天板部が押し下げられて空気室が圧縮されつつ貯留した空気を靴先の方向に前記通気路を通って中底の上面に開口された複数の上面開口溝と、該上面開口溝に近接する足指の付け根の膨らんだ部分に吹き付けるように空気が流れ、該空気が指の付け根の指と指との間の隙間から上方へ流通するように構成し、空気室を形成する凹部及び空気流路となる凹部を除いて中底、中物、及び表底の各周縁部を接着して成る接着積層構造の底部とした前項（１）記載の蒸れ防止機能付き健康靴。
【０００９】
（３）足指の付け根近傍から踵側に向かって広範囲の所定部位の前記中物に空気室を構成する足裏の土踏まずを除いた逆三角形を基本とする足型形状の凹部を形成すると共に該凹部に係合する断面円弧状に膨出成形したバネ板で天板部を形成し、該天板部を含めて中物を中底で覆って空気室を形成せしめ、前記流路開閉手段を構成する弁体は、空気室の天板部を形成するバネ板の端部から所定距離離隔して吸気出口に密着して設けた開閉可能なスイング式板状体から構成され、足を踏み込んだとき空気室内圧の押圧力により前記スイング式板状体から成る弁体が作動して前記吸気出口を塞ぎ、吸気出口から吸引される外気を遮断すると共に逆流を防止し、次いで天板部が押し下げられて空気室が圧縮されつつ貯留した空気を靴先の方向に前記通気路を通って中底の上面に開口された複数の上面開口溝と、該上面開口溝に近接する足指の付け根の膨らんだ部分に吹き付けるように空気が流れ、該空気が指の付け根の指と指との間の隙間から上方へ流通するように構成し、空気室を形成する凹部及び空気流路となる凹部を除いて中底、中物、及び表底の各周縁部を接着して成る接着積層構造の底部とした前項（１）記載の蒸れ防止機能付き健康靴。
【発明の効果】
【００１０】
本発明によれば、足指に当たる空気の通路を抵抗の少ない上面開口溝部とすると共に、空気室を十分に大きくとって、ポンプ機能を高め、且つ空気の流路開閉手段を確実に機能する構成とし、更に靴を製造し易い加工条件とした蒸れ防止機能付き健康靴を提供できる。
【発明を実施するための最良の形態】
【００１１】
以下、本発明に係る蒸れ防止機能付き健康靴の実施の形態を説明する。
【００１２】
図１は、実施例１の要部構成を示す説明図、（ａ）は断面図、（ｂ）は平面図、（ｃ）は、足型と靴の比較説明図、図２は、要部構成概念説明図、図３は、実施例１の変形例を示す平面説明図、図４は、実施例２における流路開閉手段の要部構成を示す詳細図、図５は、実施例３における流路開閉手段の要部構成を示す詳細図、図６は、各構成要素の位置関係を示す断面図である。
【実施例１】
【００１３】
実施例１は、図１（ａ）、（ｂ）、（ｃ）に示すように、中底１４、中物１５、及び表底１６からなる底部を有する靴の製造工程において、加工し易い構造の蒸れ防止機能を有する健康靴であって、空気室１を中心に後方に弁座となる吸気出口２、これにつながる吸込み口３ａを含む吸気路３、前方に排気側となる通気路４を有し、空気室１からなる吸送気手段Ｋ及び該吸送気手段Ｋの動きに追従して動作する弁体５を備えた逆流防止可能な流路開閉手段ＶＳ１を有し、歩行する際の前記吸送気手段Ｋの押圧、解放の繰り返し動作で吸気路３から外気を吸入し、足指７の付け根８及び足指の隙間８′を通過して吹き抜け易く空気抵抗の少ない上面開口溝部１０を足の裏側が接触する中底の上面所定部位に設け、足挿入部となる靴開口部１１から排気する構成とすると共に足の土踏まず１２を除いた３つのアーチを有する足裏部１３に加わる適度の押圧力Ｐと解放の繰り返しが体の健康を補助する構成としたことを特徴とする。
【００１４】
足指７の付け根８近傍から踵側に向かって広範囲の所定部位の前記中物１５に空気室１を構成する足裏の土踏まず１２を除いた逆三角形を基本とする足型形状の凹部１３′を形成すると共に該凹部１３′に係合する断面円弧状に膨出成形したバネ板１７で天板部を形成し、該天板部を含めて中物１５を中底１４で覆って空気室１を形成せしめ、前記流路開閉手段ＶＳ１を構成する弁体５は、空気室１の天板部を形成するバネ板１７の端部に外気吸入時に収縮し易い強さであって且つ伸長方向に付勢してなるコイルバネ６を介して連結する円錐類似形状体から構成され、足を踏み込んだとき最初に空気室１の内圧およびコイルバネ６の伸びようとする力との協働で前記円錐類似形状体の弁体５が作動して前記吸気出口２を塞ぎ、吸気出口２から吸引される外気を遮断すると共に逆流を防止し、次いで天板部を形成するバネ板１７が押し下げられて空気室１が圧縮されつつ貯留した空気を靴先Ａの方向に前記通気路４を通って中底１４の上面に開口された複数の上面開口溝部１０、・・・１０と、該上面開口溝部１０に近接する足指７の付け根８の膨らんだ部分９に吹き付けるように空気が流れ、該空気が足指７の付け根８の指と指との間の隙間８′、・・・８′から上方へ流通するように構成し、空気室１を形成する凹部及び通気路４を含む空気流路となる凹部を除いて中底、中物、及び表底の各周縁部１８を接着して成ることを特徴とする。
【００１５】
尚、図１（ａ）、（ｂ）及び図２に示すように、中底１４の下側の中物１５に設けられた溝形状の通気路４、・・・４は中底１４の上面に開口された複数の上面開口溝部１０、・・・１０にそれぞれ係合連設し、空気室１からのフレッシュエアの流路となり、また通気路４、・・・４を覆うようにして中底１４が設けられ、通気断面積が限定され、本実施例では、吸気路３の合計断面積に対し通気出口側の通気路４の合計断面積が小さくなるように設定してあるため、歩行の際に足を持ち上げて吸気路３を介して外気を吸入するとき、排気側の中底１４の上面開口溝部１０から外気が逆流することはない。また、足指７の付け根８の膨らんだ部分９が中底１４を介して通気路４、・・・４を、図中（図１（ｂ）、（ｃ）参照）９ｐの範囲で親指の付け根から小指の付け根にわたって面状に上方から押圧するように構成してある。
【００１６】
図１（ｂ）は、靴の中の中底を最上部として上から眺めた図であり、上面開口溝部１０が履く人の足型に合わせて足指の間に所定の長さの断面Ｖ溝（図６参照）が配されている。上面開口溝部１０をＶ溝としたのは、Ｖ字彫刻刀で容易に加工ができるためであり、Ｖ溝にこだわるものではなく、容易に加工できる上面開口溝であれば良い。また、中物１５に設けた通気路４も上面開口溝部１０に連設するＶ溝で構成されている。従って上面開口溝部１０と連設する通気路４とは段付き溝を呈する。
【００１７】
図１（ｃ）は、中底上面に足型を書き込んで各部の位置関係を示したものであり、足指７の付け根８の隙間８′の位置と図１（ｂ）に示すＶ字状の上面開口溝部１０が合致するように所定長さの長溝に加工した一例を表している。
【００１８】
他の符号について、Ａは靴の前側（先）、Ｂは靴の後側（踵側）である。
【００１９】
吸気出口２となる弁座は、弁体５に対し密着性の良い軟質樹脂製若しくは軟質ゴム製とするのが望ましい。
【００２０】
前記複数の上面開口溝部１０は、断面が加工し易いＶ字形状の所定長さの長溝である。
【００２１】
空気室１と上面開口溝部１０とを連結する通気路４は中物に溝状の凹部を彫って加工し、上面は中底で覆うようにして暗渠のような状態の流路を形成する溝部からなり、該溝部周囲の中物と中底を接着して成る構造としてある。
【００２２】
空気室１は天板部にのみバネ板１７を設けて上から中底１４をあてがうように重ね、天板を形成するバネ板１７の周囲を前記バネ板１７がスライドすることが可能となる範囲を持たせて、その範囲外の周囲を接着する構成としてある。
【００２３】
バネ板１７は、例えば金属性の板バネを用い、バネ板１７のバネ力を使用者の身体に合わせて大きさや厚みを適宜選ぶことにより、健康グッズとしても機能する構成としてある。
【００２４】
バネ板１７は、男女、若年、壮年、老年などの年齢に合わせて大きさや、厚みを加減して最適な条件を設定可能である。
【００２５】
使用する人に見合う大きさ、厚み、形状において、最適条件のバネ板１７を選定することによって、付勢力に抗して押圧された後の解放時の反発力は、空気室１の容積の余裕と併せて吸気ろ３から十分外気の吸入を行うことが出来る。
【００２６】
バネ板１７が延びきる前に逆止弁となる弁体５がコイルバネ６を形成する弾性体を介して吸気出口２を塞ぎ、次ぎの段階で空気室１にたまった空気を強力に前方へ押し流すようになっている。このバネ板１７の強さ加減が足の蒸れ防止と共に健康補助に役立つものである。
【００２７】
尚、空気室１の天板部を構成するバネ板１７は圧縮作用で押し下げられたとき、バネ板１７の端部１７ａは矢印イに沿って伸び、コイルバネ６が収縮しながらこの伸びた分を吸収するように構成されている。
【００２８】
空気流路は先に行くほど断面積が小さくなるように設け、空気の流れる速度が先にいくほど速くなるように構成するのが望ましい。
【００２９】
前述したように空気室１、通気路４及び上面開口溝部１０を含む空気流路は、溝を彫るという加工で製作できるので、本発明の蒸れ防止靴は安価にでき、更に健康に良い靴を提供できる。なお、空気流路は樹脂製またはゴム製のチューブを用いて形成しても良く、限定するものではない。
【００３０】
吸送気手段Ｋを構成する空気室１の容積変化率を大きくとり、且つ空気室１の容積を出来るだけ大きくする。その為には天板部を形成するバネ板１７を人体に合わせて湾曲して膨らませるように形成し、歩行時の押圧力Ｐが解放されたときにはバネ板１７の復元力で自然に膨らむ状態に戻り、吸気路３を経て外気がスムーズに流入するように構成する。
【００３１】
本発明に係る吸送気手段Ｋのポンプ性能を高めるためには、空気室１の天板部に復元力の強い、例えば合金鋼からなるバネ鋼製の板バネ、若しくは燐青銅製の板バネを挙げることが出来る。
【００３２】
足の裏の３つのアーチ構造（１は踵から親指の付け根を通る足の内側の縦アーチ、２は踵から小指の付け根を通る足の外側の縦アーチ、３は親指の付け根と小指の付け根を通る足の横アーチ）を基準に使用する人の踏み込み力を測って、バネ板の大きさ、形状、及び厚みを調節しながら決定するのが望ましい。
【００３３】
また、分かり易くするために、図２に要部構成概念説明図を示した。この状態は、足を挿入する前の使用していない状態の概念図である。
【００３４】
図３は、図示するように、実施例１の変形例であり、バネ板１７を曲線で描いた形状を、直線で描いた場合のバネ板の形状例であり、符号を１７′とし、通気路を４′、上部開口溝部を１０′とした。
【実施例２】
【００３５】
図４に示すように、実施例２の実施例１と異なる部分は、流路開閉手段の構成であり、弁体２２を球状体とし、例えば芯材として金属製のボールとし回りをゴムまたは樹脂製の被覆で仕上げ、弁座となる吸気出口２１を弁体２２の球面と係合する受け口の湾曲面とした場合であり、コイルバネ２３は実施例１の場合と同様である。
【００３６】
空気室１の天板部を形成するバネ板１７の端部に外気吸入時に収縮し易い強さであって且つ伸長方向に付勢してなるコイルバネ２３を介して連結する球状体となる弁体２２から構成され、足を踏み込んだとき最初に空気室１の内圧およびコイルバネ２３の伸びようとする力との協働で球状体の弁体２２が作動して前記吸気出口２１を塞ぎ、吸気出口２１から吸引される外気を遮断すると共に逆流を防止し、次いで天板部を形成するバネ板１７が押し下げられて空気室１が圧縮されつつ貯留した空気を靴先Ａの方向に流通するように構成してある。
【００３７】
尚、空気室１の天板部を構成するバネ板１７は圧縮作用で押し下げられたとき、バネ板１７の端部１７ａは矢印ロに沿って伸び、コイルバネ２３が収縮しながらこの伸びた分を吸収するように構成されている。
【００３８】
その他、実施例１と同様の部分については説明を省略するものとする。
【実施例３】
【００３９】
図５に示すように、実施例３の実施例１及び２と異なるのは、流路開閉手段の構成であり、弁体２５をスイング式板状体とし、空気室１の天板部を形成するバネ板１７の端部１７ａから弁体２５がスイングして開いたときに当たらない範囲で所定距離離隔して弁座を形成する吸気出口２４に密着して設けた開閉可能なスイング式板状体から構成され、足を踏み込んだとき空気室内の圧力により前記スイング式板状体から成る弁体が矢印ハに沿って作動して前記吸気出口２４を塞ぎ、吸気出口２４から吸引される外気を遮断すると共に逆流を防止し、次いで天板部を形成するバネ板１７が押し下げられて空気室１が圧縮されつつ貯留した空気を靴先Ａの方向に流通するように構成してある。図５中の符号２５ａは、スイング式板状体を形成する弁体２５のスイングの軸である。
【図面の簡単な説明】
【００４０】
【図１】実施例１の要部構成を示す説明図、（ａ）断面図、（ｂ）平面図、（ｃ）、足型と靴の比較説明図
【図２】要部構成概念説明図
【図３】実施例１の変形例を示す平面説明図
【図４】実施例２における流路開閉手段の要部構成を示す詳細図
【図５】実施例３における流路開閉手段の要部構成を示す詳細図
【図６】各構成要素の位置関係を示す断面図
【符号の説明】
【００４１】
１  空気室
２、２１、２４  吸気出口
３  吸気路
４  通気路
５、２２、２５  弁体
６、２３  コイルバネ
７  足指
８  足指の付け根
１０  上面開口溝部
１１  靴開口部
１２  土踏まず
１３  足裏部
１４  中底
１５  中物
１６  表底
１７  バネ板
Ｋ  吸送気手段
Ｐ  押圧力
ＶＳ１、ＶＳ２、ＶＳ３  流路開閉手段
【図１】
2007330670.tif 000003
【図２】
2007330670.tif 000004
【図３】
2007330670.tif 000005
【図４】
2007330670.tif 000006
【図５】
2007330670.tif 000007
【図６】
2007330670.tif 000008